(57)【要約】【課題】  効率的な組み付けが行なえ、ワンタッチで確実に蓋体を開けることができるキャップを提案する。【解決手段】  天面壁部1bに内容物の注出口1cを有し容器の口部に着脱自在に装着されるキャップ本体１と、このキャップ本体１に支点ｈを介して開閉可能に連結され該キャップ本体１の天面壁部1bに合わさって該注出口1cを閉塞する蓋体２とを備えたキャップにおいて、前記キャプ本体１と蓋体２との相互間に、反発力によりワンタッチで該蓋体を引き上げる弾性片５を配置する。該弾性片５には、その両端に、キャップ本体１及び蓋体２のそれぞれに設けられた開口ｔ、t１に固定保持される係止片６、７を設ける。【選択図】図１
2007099282.tif 000002
【特許請求の範囲】
【請求項１】
天面壁部に内容物の注出口を有し容器の口部に着脱自在に装着されるキャップ本体と、このキャップ本体に支点を介して開閉可能に連結され該キャップ本体の天面壁部に合わさって該注出口を閉塞する蓋体とを備えたキャップであって、
前記キャップ本体と蓋体とを相互につなぎ、その反発力によりワンタッチで該蓋体を引き上げる弾性片を配置してなり、
該弾性片は、その両端に、キャップ本体及び蓋体のそれぞれに設けられた開口に嵌合、固定保持される係止片を有することを特徴とするキャップ。
【請求項２】
前記弾性片は、ゴム、エラストマー等の部材からなり、前記係止片はインサート成形により該弾性片に一体連結可能な合成樹脂からなる、請求項１記載のキャップ。
【請求項３】
前記キャップ本体の開口に固定保持される係止片またはキャップ本体天面には、蓋体がキャップ本体の天面壁部に合わさった状態で弾性変位して反発力を生じさせる湾曲面を有する、請求項１又は２記載のキャップ。
【発明の詳細な説明】
【技術分野】
【０００１】
本発明は、キャップに関するものであり、組み付け作業の簡便化図り、該キャップの蓋体をワンタッチで確実に開放しようとするものである。
【背景技術】
【０００２】
支点を介してワンタッチで開放する代表的なキャップとしてヒンジキャップが存在している。かかるキャップは、片手によって蓋体の開閉が可能であり、また、蓋体の紛失を防止できることから、調味料を入れる容器や薬剤を入れる容器あるいはシャンプー、リンスを入れる容器等幅広い分野において利用されている。  
【０００３】
近年、この種のキャップでは、使い勝手のより一層の改善を図るため、ヒンジの隣接部位にばね部材を配置して該ばね部材の弾性変位を利用して蓋体をワンタッチで開放させるタイプのものが数多く提案されているが（例えば特許文献１参照）、ばね部材による蓋体の確実な開放を導くためには、合成樹脂からなるキャップ本体とは異なる素材（ゴムやエラストマー等）で構成するのがとりわけ好適であるところ、異種材同士のインサート成形による一体化や異種材同士の一体化が困難な場合には、その組み付けのためにキャップ本体に切欠孔等を形成し、該切欠孔にばね部材を係着させることによって対応していた。
【０００４】
ところで、上記のような従来のヒンジキャップは、ばね部材の取り付けに手間がかかるうえ、該ばね部材が有効にその機能を発揮しているかどうかのチェックが不可欠で、製造工程の簡便化を図るにも限界があり、また、ばね部材を構成する素材が軟材であるため、使用中に係着部が外れてしまい、ばね部材としての機能を失う可能性を有していた。
【０００５】
このため、部材の一体化を図る試みがなされたけれども、部材の一体化は、金型構造の複雑化を招くのが不可避であり、ゴムやエラストマーと相溶性のない樹脂の選択が不可能であることから使用できる樹脂も限定されてしまう不具合があった。
【特許文献１】特開平8−113260号公報
【発明の開示】
【発明が解決しようとする課題】
【０００６】
本発明の課題は、組み付けが簡単でワンタッチによる蓋体の確実な開放を可能とする新規なキャップを提案するところにある。
【課題を解決するための手段】
【０００７】
本発明は、天面壁部に内容物の注出口を有し容器の口部に着脱自在に装着されるキャップ本体と、このキャップ本体に支点を介して開閉可能に連結され該キャップ本体の天面壁部に合わさって該注出口を閉塞する蓋体とを備えたキャップであって、
前記キャップ本体と蓋体とを相互につなぎ、その反発力によりワンタッチで蓋体を引き上げる弾性片を配置してなり、
該弾性片は、その両端に、キャップ本体及び蓋体のそれぞれに設けられた開口に固定保持される係止片を有することを特徴とするキャップである。
【０００８】
上記の構成になるキャップにおいて、前記弾性片は、ゴム、エラストマー等の部材にて構成することができ、前記係止片はインサート成形により該弾性片に一体連結可能な合成樹脂にて構成する。
【０００９】
また、前記キャップ本体の開口に固定保持される係止片またはキャップ本体天面には、蓋体がキャップ本体の天面壁部に合わさった状態で弾性変位させて反発力を生じさせる湾曲面を設けるのが好ましい。
【発明の効果】
【００１０】
弾性片と係止片との一体化（インモールド成形）を図り、該係止片をキャップ本体及び蓋体のそれぞれに固定保持する簡単な作業で組み付けが行なえる。
【００１１】
また、弾性片と係止片は一体化されており、設計通りに成形されていることを確認するだけで所定の機能を発揮するかどうか容易に把握できる。
【００１２】
さらに、インサート成形、２色成形する場合に、複雑な構造となる弾性片を別体物として構成することで形状の簡素化が可能となり、トータルコストの削減を図ることができる。
【発明を実施するための最良の形態】
【００１３】
以下、図面を用いて本発明をより具体的に説明する。
図１は本発明に従うキャップの実施の形態を示した外観斜視図であり、図２は図１の要部を断面で示した図である。
【００１４】
図における１はねじあるいはアンダーカット係合により容器の口部に着脱自在に装着されるキャップ本体である。このキャップ本体１は内側にねじあるいはアンダーカット（図示せず）が設けられた装着筒を有する円筒状の周壁1aと、この周壁1aの上端において一体成形される天面壁部1bからなっており、該天面壁部1bには内容物を排出するための注出口1cが形成されている。
【００１５】
また、２はキャップ本体１に２つの支点（ヒンジ）ｈを介して開閉可能に連結される蓋体である。この蓋体２の裏面には、該キャップ本体１の天面壁部1bに合わさって注出口1cを閉塞する環状筒体2aが設けられている。なお、環状筒体2aに代えて、注出口1c内に挿入される栓体（突起状または筒状）を形成してもよい。
【００１６】
また、３はキャップ本体１の両サイドにおいてその周壁1aから天面壁部1bにかけて一体的に設けられた一対の押圧部分（押圧ボタン）である。この押圧部分３はその下端で周壁1aに片持ち支持されていて外側からの押し込みにより弾性変位させることができるようになっており、その先端には係止爪3aが設けられている。４は蓋体２に設けられ該蓋体２が天面壁部1bにあわせたときに該係止爪3aに連係するリブである。
【００１７】
さらに、５はキャップ本体１と蓋体２とを相互につなぎ、その反発力により蓋体２をワンタッチで引き上げるエラストマーやゴム等からなる弾性片である。この弾性片５は２つの支点（ヒンジ）ｈの間に配置される。６、７は弾性片５の両端にそれぞれつながりキャップ本体１、蓋体２に設けられた開口ｔ、t１に嵌合、固定保持される係止片である。係止片６、７はインサート成形等により弾性片５との一体化が可能な樹脂からなっており、このうちキャップ本体１の開口ｔに固定保持される係止片６は、蓋体２がキャップ本体１の天面壁部1bに合わさった図３に示すような状態においてその外表面に沿わせて弾性変位させる曲面6aを有する。また、係止片６、７のそれぞれの側壁には開口ｔ、t１への嵌合、固定保持のための係合突起6b、7aが形成されている（係合突起は摩擦抵抗を高める圧入固定用の凸部であってもよい）。この係合突起（または圧入用凸部）6b、7aの形成位置は係止片６、７の側壁に限るものではなく、その機能を果たす箇所であれば係止片６、７の任意の位置に形成することができ、その形状については凸状に限るものではなく、凹部として形成し開口ｔ、t１に該凹部に適合する凸部を形成する構造としてもよい。
【００１８】
上記の構成になるキャップは、弾性片５と係止片６、７が一体に連結されており、係止片６、７をキャップ本体１、蓋体２の開口ｔ、t１にそれぞれ差し込むことで簡単に組み付けることができ、組み付け作業が簡略化されるとともに、金型構造の簡素化が可能となる。 
【００１９】
蓋体２がキャップ本体１の天面壁部1bに合わさった状態、すなわち、蓋体２が閉じた状態においては弾性片５が図３に示す如く曲面6aに沿って変位しており（弾性片５には反発力が生じている）、押圧部分３を両側から押し込んでその先端の係止爪3aと横リブ４との連係を解除することにより蓋体２は速やかに開放される。
【００２０】
係止片６、７は図４に示すような差し込み専用の形状を有するものとし、図５の如く、曲面を付けた凸部８を直接キャップ本体１に設けるようにしてもよい。弾性片５は曲面以外の角部を介して折り曲げることで反発力を生じさせることができるが、この場合、弾性片５が損傷することも考えられるので、曲面に沿わせて弾性片５を変位させる。
【００２１】
弾性片５は、ゴムやオレフィン系、スチレン系、エステル系等の各種エラストマーにて構成され、かかる部材と一体化を図るのに有用な相溶性のある樹脂としては、低密度ポリエチレン、高密度ポリエチレン、ポリプロピレンなどが挙げられ、上記の弾性片素材との組み合わせが適宜可能となる。
【００２２】
また、弾性片５は反発力を生じさせるために曲面に沿って変位させた場合について図示したが、該弾性片５は蓋体２がキャップ本体１の天面壁部1bに合わさったときに引き伸ばすように変位させ、その収縮力でもって蓋体２を開放する構造とするか、あるいはその両方を組み合わせた構造としてもよく、弾性片５に反発力を付与するための形態は任意に変更できる。
【００２３】
係止爪3aとリブ４の連係を解除する押圧部分３は図６に示すように支点ｈの対向位置（キャップの前面）に１つ設けるようにしてもよい。
【００２４】
支点ｈは、弾性片５を両側から挟む３点ヒンジを例として示したが、ヒンジの形式もとくに限定はされず、例えば一対の弾性片を形成し、その間に支点ｈを配置した形式にも適用可能である。
【００２５】
図７、図８は本発明に従うキャップのさらに他の実施の形態を示したものであり、図７は外観斜視図であり、図８は要部の断面を示した図である。
【００２６】
このキャップは、係止片６、７のそれぞれに弾性片５の端面が露出する面の側で開口面積が大きくなるＴ字状の段付き貫通孔９、10を設け（図８参照）、該段付き貫通孔９、10に弾性片５の端部を係止する構成のものである。
【００２７】
かかる段付き貫通孔９、10を形成してインサート成形を行うことにより、弾性片５は抜け止状態で係止されることとなり、弾性片５と係止片６、７とが融着する相溶性の素材を選択してキャップを製造する場合に、その接合強度を著しく向上させることができ、また、弾性片５と係止片６、７とが相溶性を有しない場合であっても、その連結がより強固なものとなる。
【００２８】
図９、図10は本発明に従うキャップのさらに他の実施の形態を示したものであり、図９は外観斜視図であり、図10は図９の要部の断面を示した図である。
【００２９】
このキャップは、蓋体２を開閉する支点ｈをヒンジからピン等の枢軸11に変更した構成のものである。この場合、キャップ本体１と蓋体２とはヒンジの如き支点ｈで一体成形したキャップと異なり、それぞれ別体で成形されることになるが、弾性片５を介して連結した係止片６、７は上掲の実施の形態において示したものと同様、枢軸11の相互間に位置する開口ｔ、t１に嵌合、固定保持される。
【産業上の利用可能性】
【００３０】
組み付け作業の簡略化及び金型構造の簡素化が可能で、ワンタッチで確実に蓋体を開けることができる低コストのキャップが提供できる。
【図面の簡単な説明】
【００３１】
【図１】本発明に従うキャップの実施の形成を示した外観斜視図である。
【図２】図１の要部を断面で示した図である。
【図３】図１の要部を断面で示した図（蓋体を閉めた状態）である。
【図４】本発明に従うキャップの他の実施の形態の構成部材の外観斜視図である。
【図５】本発明に従うキャップの他の実施の形態を要部の断面で示した図である。
【図６】本発明に従うキャップの他の実施の形態を示した図である。
【図７】本発明に従うキャップのさらに他の実施の形態を示した外観斜視図である。
【図８】図７の要部を断面で示した図である。
【図９】本発明に従うキャップのさらに他の実施の形態を示した外観斜視図である。
【図１０】図９の要部を断面で示した図である。
【符号の説明】
【００３２】
１  キャップ本体
1a  周壁
1b  天面壁部
1c  注出口
２  蓋体
３  押圧部分
3a  係止爪
４  リブ
５  弾性片
６  係止片
6a  曲面
７  係止片
８  凸部
９  段付き貫通孔
10  段付き貫通孔
11  枢軸
ｈ  支点
ｔ  開口
t１  開口
【図１】
2007099282.tif 000003
【図２】
2007099282.tif 000004
【図３】
2007099282.tif 000005
【図４】
2007099282.tif 000006
【図５】
2007099282.tif 000007
【図６】
2007099282.tif 000008
【図７】
2007099282.tif 000009
【図８】
2007099282.tif 000010
【図９】
2007099282.tif 000011
【図１０】
2007099282.tif 000012